(57)【特許請求の範囲】
【請求項１】
家具用ヒンジであって、
前記家具用ヒンジは、
家具の要素に固定するための第１の部材と、
前記家具の要素のドアに固定するための、筐体（６）を備える第２の部材と、
を備え、前記第１の部材は前記筐体（６）に伴う少なくとも１つの第１の関節ピン（８）の周囲を相対的に回転運動して動くことに適合しており、
前記家具用ヒンジはさらに、前記回転運動を減衰させるための減衰手段（１３）に前記第１の部材を結合させるための結合要素（１６）を備え、前記減衰手段は、
−前記結合要素（１６）によって移動するよう作動されるスライダ（１８）と、
−減衰力を生み出すことができるように前記スライダ（１８）によって動かされるように適合した、粘性媒体に浸された少なくとも１つの減衰要素と、
を備え、前記スライダ（１８）及び前記少なくとも１つの減衰要素は前記筐体（６）の底部と前記減衰要素の実質的に円筒状の覆い（１４）の間に保持されており、該筐体（６）の底部は一体的でかつ閉鎖されており、該覆いは筐体の内部に固定され、かつ前記結合要素（１６）と前記スライダ（１８）を結合させるための開口部（１５）が内部に設けられていることを特徴とする家具用ヒンジ。
【請求項２】
プレート（２６）が前記筐体（６）の底部と前記減衰要素の前記実質的に円筒状の覆い（１４）の間に配置されており、該プレート（２６）は前記覆い（１４）に作られたキャビティ（２２）の内部に前記スライダ（１８）と前記少なくとも１つの減衰要素を閉じこめるように、前記覆い（１４）の下部端部に固定されていることを特徴とする請求項１に記載のヒンジ。
【請求項３】
弾性係合手段（２０、２１）が、前記筐体（６）に前記覆い（１４）を予め組み付けるために設けられていることを特徴とする請求項１又は２に記載のヒンジ。
【請求項４】
前記弾性係合手段は、対応する止め平面部（２１）を押すことに適合したタブ（２０）を備え、前記タブ及び前記止め平面部は前記筐体（６）の壁部及び前記覆い（１４）の壁部、又はその逆に各々設けられていることを特徴とする請求項３に記載のヒンジ。
【請求項５】
前記タブ（２０）及び前記止め平面部（２１）は、前記筐体の壁部及び前記覆いの壁部の３つの対応する点に各々設けられていることを特徴とする請求項４に記載のヒンジ。
【請求項６】
前記筐体（６）には、前記家具の要素の前記ドアに固定するための少なくとも１つの固定フランジ（９０）が設けられていることを特徴とする請求項１乃至５のいずれか１項に記載のヒンジ。
【請求項７】
前記結合要素はカム要素（１６）であることを特徴とする請求項１乃至６のいずれか１項に記載のヒンジ。
【請求項８】
前記少なくとも１つの減衰要素は、ヒンジの動きと対応して制動力を生み出すために、前記移動の方向と垂直の軸の周囲を回転することに適合した実質的に平坦な形状を有するディスク（２３）であることを特徴とする請求項１乃至７のいずれか１項に記載のヒンジ。
【請求項９】
スライダの移動を前記軸の周囲を回転する前記ディスク（２３）の回転運動へと変換するよう適合している、運動変換のための運動学的手段が設けられており、該運動学的手段は、前記ディスク（２３）の第１の表面にある一続きの溝（３０）と、少なくとも１つの溝（３０）とかみ合うように適合している、前記スライダ（１８）に固定された突起部（２９）とを備え、スライダの移動の１つの方向においてのみディスクの回転を生じさせるような形状を有することを特徴とする請求項８に記載のヒンジ。
【請求項１０】
前記溝（３０）は螺旋状の形状をしており、かつ鋸歯状の断面を有しており、及び、前記スライダ（１８）上の前記突起部（２９）は、前記溝（３０）の前記断面と相補的な形状をした断面を有していることを特徴とする請求項９に記載のヒンジ。
【請求項１１】
前記スライダ（１８）上の前記突起部（２９）には、前記ドアが部分的に開いた位置から始まる前記ドアの閉まる段階において、前記螺旋状の溝（３０）の鋸歯状の断面を押すように適合した、１つの実質的にとがった端部（４２）が設けられていることを特徴とする請求項１０に記載のヒンジ。
【請求項１２】
適切な環状同心溝（４０’）及びリブ（４１’）が前記ディスク（２３）の第２の表面に設けられており、該溝及びリブは、前記筐体（６）の底部、又は、前記第２の表面と前記筐体の前記底部の間に配置された前記プレート（２６）に設けられた対応するリブ（４１）及び溝（４０）と各々かみ合わされることを特徴とする請求項８から１１のいずれか１項に記載のヒンジ。
【請求項１３】
前記少なくとも１つの減衰要素は、歯状ホイール（２５）を備え、該歯状ホイールは、スライダの側面に沿って配置されており、かつ前記スライダの移動と対応する各々の軸の周りに前記歯状ホイールを回転させるように、前記スライダの側端部に作られた各々のラック（４５）とかみ合うことを特徴とする請求項１から７のいずれか１項に記載のヒンジ。
【請求項１４】
前記少なくとも１つの減衰要素は、粘性媒体を含む円筒状シート部（４６）で垂直方向に滑動し、かつ前記スライダの側面に沿って配置されている複数のピストン（４７）を備え、該複数のピストン（４７）は、前記スライダがその移動運動を前記ピストン（４７）に伝達することができるように、前記スライダ（１８）と適切に結合された共通のロッド（４９）を共有していることを特徴とする請求項１から７のいずれか１項に記載のヒンジ。
【請求項１５】
前記第１の部材は２つの要素を備え、該要素の第１のものは、前記家具の要素に固定するための固定アーム（１）であり、該要素の第２のものは、前記筐体（６）に伴う第１の関節ピン（８）の周囲及び前記固定アーム（１）に伴う第２の関節ピン（５）の周囲を回転することに適合した第１の揺動部（３）であり、及び、前記筐体（６）に伴う第１の関節ピン（７）の周囲及び前記固定アーム（１）に伴う第２の関節ピン（４）の周囲を回転することに適合した第２の揺動部（２）が設けられていることを特徴とする請求項１乃至１４のいずれか１項に記載のヒンジ。
【請求項１６】
前記関節ピン（７、８）を備える筐体（６）及び覆い（１４）を固定するための固定手段が設けられており、該固定手段は、前記覆い（１４）の第１の穴（７０、７１）及び前記筐体（６）の対応する第２の穴（８０、８１）とかみ合うように適合していることを特徴とする請求項１５に記載のヒンジ。
【発明の詳細な説明】
【技術分野】
【０００１】
本発明は、家具用ヒンジに関する。特には、ドアが開く及び／又は閉じる間に作動する減衰装置が設けられた、ドアのための又は一般的に適切に動かされることが可能な家具部材のためのスプリングを有するヒンジに関する。
【背景技術】
【０００２】
水平又は垂直の軸の周囲を回転することによって構成部材を閉めたり開けたりするためのドア又はウィング（ｗｉｎｇｓ）が設けられた家具には、様々なタイプのヒンジが用いられている。今日広く使用されているヒンジは、ドアが閉じられた位置にあるとき、家具の外側からは見えないようになっているタイプのものである。
【０００３】
今日、このタイプのヒンジは、幾つもの利点を有することから家具産業においてよく用いられ市場にも広まっている。既存のヒンジの幾つかの実施形態には、ドアが閉じるときには戻る力を、ドアが開くときには押す力を生み出す様々なタイプのスプリングが設けられている。こうすることで、ドアを非常に精密に閉じる又は開くことが可能となる。
【０００４】
しかしながら、そういったヒンジに、スプリングの弾性反応によるドアの運動を減衰及び／又は制動するための装置を設けることは望ましい。これらの装置の目的は、ドアが閉じるときに家具の体部に対して勢いよくぶつかることによって生じる騒音を防ぐことである。
【０００５】
従来技術のヒンジの幾つかには、ヒンジの揺動部に設置されたカムによって動かされる長方形のスライダが高粘性グリスによって制動されるディスクに運動を伝達するという制動装置が設けられている。既存の装置はヒンジの筐体の外部下側に配置されており、揺動部のカムは同様の筐体の底部に設けられた開口部を通ってスライダと係合している。
【発明の開示】
【発明が解決しようとする課題】
【０００６】
不利なことに、上記の配置構成だと、製造している間又はヒンジをパッキングしている間の衝撃、又は家具にヒンジを組み付ける際におけるドアの圧延穴（ｍｉｌｌｅｄ  ｈｏｌｅ）の中にヒンジ筐体を挿入するときの圧力といった、不意の及び望ましくない外力を装置が受ける可能性がある。こういった衝撃又は圧力は、減衰装置又は減速器の機能に損傷又は多くの場合において好ましくない影響を与える。
【０００７】
さらに、このタイプの装置が有するもう１つの欠点は、揺動部のカムと装置のスライダの間にある筐体の底部の圧力に起因するものであり、すなわち、該圧力は減速器を保持するために利用可能な小さな空間を十分に利用する可能性を、又はそれと関係する構成要素を好ましく形作る可能性を制限する。
【０００８】
したがって、前記欠点を克服することが可能な減衰装置を備えた家具用ヒンジを製造することが必要とされている。
【課題を解決するための手段】
【０００９】
本発明の主な目的は、ヒンジの筐体がヒンジの他の構成要素とともに組み立てられる前に、ヒンジの筐体のなかに挿入可能かつそこに固定可能な減衰装置が設けられた家具用ヒンジを作ることである。このようにすることで、減衰装置は、外部作用、例えば装置の機能にダメージ又は影響を及ぼす可能性のある衝撃又は圧力から、鉄又は他の硬い材料からなる同様の筐体によって保護される。
【００１０】
さらなる目的は、前記ヒンジの内部の空間をより実際的に使用することが可能な構成を有するヒンジを作ることであり、そうすることで、従来技術における既存のシステム、例えば回転減衰機、又は円筒かつピストン減衰機に基づく減衰機を使用することさえ可能となる。
【００１１】
したがって、本発明は、請求項１の特徴を有する減衰装置を備えた家具用ヒンジを製造することによって、上述した課題を解決することができる。
【００１２】
有利なことに、本発明にしたがうヒンジの減衰装置は、その構成要素としてヒンジ筐体自体を提供することが可能であり、又は減衰装置は筐体から分離可能な諸要素から完全に構成され得るのであり、そういった諸要素は、予め１つにされ、それから該要素を固定する又は保持するための適切な手段が設けられた筐体のなかに挿入されることが可能である。このようなモジュール方式によって、装置の構成及び最終組み立てをより簡単にすることができる。
【００１３】
ヒンジの改善された性能は、ヒンジの適切な領域にある粘性媒体を有する摩擦表面を増大させることによって、及び／又は、粘性媒体と接触する制動要素として作動する少なくとも１つの環状要素、例えばディスクの角速度の調節を可能とすることによって得られる。
【００１４】
最後に、さらなる利点は、減衰装置がコンパクトで筐体要素の内部に設置されるために、減衰装置が家具のドアの厚さ以内に収まるので、したがってドアが開かれるときにそれが外から見えず、美的観点からしても改善されているということである。
【００１５】
従属請求項には、本発明の好ましい実施形態が記載されている。
【００１６】
本発明のさらなる特徴及び利点は、非限定的な例が記載されている図面を参照しながら、制動装置を有する家具用ヒンジの好ましいが排他的ではない実施形態の詳細な記載によってより明らかになる。
【発明を実施するための最良の形態】
【００１７】
図１において、符号５０で本発明のヒンジの全体が示されており、該ヒンジは固定要素又はヒンジアーム１を備え、それは家具の側部パネル又は他の適切な要素の壁部に一体となるように順に固定された底部又はプレートに固定されている。
【００１８】
ヒンジには、２つの揺動部２及び３が設けられており、それらはアーム１の側壁にある穴に保持されている２つのピン４、５の周囲をそれぞれ回転することが可能な第１の端部を各々備えている。アーム１は、家具のドア又はウィングの壁部、もしくは家具の他の適切な回転要素の壁部の内側に作られたキャビティに固定された筐体要素６又は単なる筐体に結合されている。揺動部２及び３の２つのそれぞれの第２の端部は、第１の２つのピン４、５に平行な軸で２つの他のピン７、８に回転するように保持されている。４つのピン４、５、７、８は、関節でつながった四角形状を形成している。
【００１９】
関節ピン５の周囲において、揺動部３がアーム１に結合するように、弾性要素又はスプリング９が設けられる。前記弾性要素の一方のアーム１０の１つはヒンジアーム１上に留められており、他方のアーム１１は揺動部２に留められている。弾性要素９のアーム１０、１１を閉じることによって、この要素９は図１に示されている位置まで揺動部２に押す力を加えるように働く。このドアを開く開放角度、すなわち約１５°から２０°を超えると、弾性要素９がごくわずかにだけアームに圧縮力を加えるだけで、ドアの回転運動の残りの部分は弾性力の存在に影響を受けない状態で自由に実行される。
【００２０】
一方、ドアが閉じる段階では、約１５°から２０°という大きさを有する最終的な角度においてドアが精密及び自発的に閉まるように、弾性要素９は戻る力を生み出す。
【００２１】
ブッシング１２は、弾性要素９とピン５の間に適切に挿入されることが可能である。別法では、要素９は、ピン５から分離されて、ヒンジアーム１に既知の方法で固定されることも可能である。
【００２２】
筐体要素６の内部には、有利なことに、騒音を減少させてドアの開閉段階を快適及び滑らかに実行することができるように、ドアを開ける及び／又は閉めるときに生じる騒々しい音を出す動きを適切に減少させることが可能な減衰及び／又は制動装置１３が設置されている。
【００２３】
この装置１３は、ケーシング又は覆い１４と筐体要素６の一部から形成されるハウジングを備える。該ハウジングの内部には、有利なことに、スライダ１８と、例えばグリスといった高粘性媒体に浸された少なくとも１つの制動要素とが入れられている。
【００２４】
ケーシング１４の形状は、揺動部２及び３の第２の端部の周囲をそれぞれ回転する同様のピン７、８の手段によって、筐体要素６に固定されることが可能なようになっている。該ピン７、８は、ケーシング１４の穴７０、７１と、筐体要素６にある対応する穴８０、８１を通過する。
【００２５】
ケーシング１４の内部には穴又は開口部１５が設けられており、その穴によって、結合要素、好ましくは筐体要素又は該筐体要素を有する全体の関節部となるピン８の周囲を回転する、揺動部３の下方にある端部に固定されるカム要素６を、スライダ１８に係合させることが可能であり、それによって、ヒンジの回転方向と対応する第１又は第２の方向に平行するようにスライダをコントロールできる。
【００２６】
図１から図６には、本発明にしたがうヒンジの第１の好ましい実施形態が示されており、それには標準的なサイズ又は従来技術のタイプの筐体よりもわずかに深く作られた鉄製の筐体要素又は筐体６が設けられているのであるが、そういった筐体でも家具のドアに作られた穴に該筐体を挿入するのは難しくはない。
【００２７】
前記筐体６には、家具にドア又はウィングの内壁に固定するための少なくとも１つのフランジ９０が設けられている。
【００２８】
図６により明瞭に示されているように、筐体６の底部には環状同心溝４０とリブ４１が設けられており、それらは制動ディスク２３の下部表面に設けられた同様の溝４０’とリブ４１’と完全に組み合うことが可能であり、それらの間には粘性グリスが設けられている。以上のように、粘性媒体を有する摩擦表面が組み合わされることによって、摩擦する表面が拡張するために、より静かに及びより効果的に装置が作動することが可能となる。
【００２９】
制動ディスク２３は螺旋状の溝３０を有する上部表面に設けられており、そして、スライダ１８の下部突起部２９は、揺動部３のカム要素１６を通じて伝達されたスライダ１８の動きを制動ディスク２３の回転へと変換するために該ディスクとかみ合っている。
【００３０】
特に、突起部２９は前記溝の鋸歯状断面と相補的な断面を有する手段によって螺旋状の溝３０の少なくとも１つとかみ合っている。
【００３１】
図１に示されているドアが開く段階において、スライダによる運動の伝達は、最初の溝と隣接している溝にかみ合う突起部２９を持ち上げることによって実行され、その間、制動ディスク２３は動かない。このスライダ１８はケーシング１４の内部に設けられた開口部１５の端部によって動きを導かれるのであり、該ケーシングは自身と筐体６の間でスライダ１８と制動ディスク２３を取り囲んでいる。
【００３２】
一方、ドアが閉まる段階において、結合要素であるカム突起部１６は、スライダの運動の伝達、及び溝３０にある突起部２９とかみ合う手段によって制動ディスク２３の回転運動を引き起こすスライダ１８の対応する突出部に作用するのであり、したがって減衰動作を生み出す。減衰装置の全ての要素には、粘性媒体が設けられている。
【００３３】
有利なことに、突起部２９には、実質的に先のとがった端部４２が設けられており、それによって、例えばドアが完全に開ききっていないという普通でない状況においてさえ、ヒンジの減衰装置を正しく作動させることが可能であり、ドアは家具に対する切り込み位置（ｒａｂｂｅｔ ｐｏｓｉｔｉｏｎ）からわずかに小さい角度だけ動かされた後に再びすぐさま閉められる。このような状況において、スライダ１８は、図１に示されている位置にあることが可能であり、その際、突起部２９は、螺旋状の溝３０によって形成された頂部にもたれかかるが、それは、カム要素１６の側部突起部によって押されることによるものである。もしドアが再び閉められるなら、カム要素１６の端部は先のとがった端部４２を下方に押しながら、先のとがった端部４２の傾斜のある表面上にもたれかかり、その結果、該先のとがった端部は、通常の動作の新しい位置に達するまで、制動ディスク２３の減速回転を生み出す溝３０によって形成される歯の頂部に圧力を加え、ヒンジに対する全体的な制動効果が得られる。
【００３４】
先のとがった端部４２がなかったら、ドアが図１にある位置から再び閉められるとき、揺動部３と結合したカム要素１６は、反時計方向から時計方向へと進むことによって、スライダ１８の突起部２９を左の方に移動させるため、この突起部は溝３０によって形成される鋸歯状断面とかみ合うことがない。したがって、制動効果を得ることもできなくなる。この手段は、下記にあるヒンジの第２の実施形態においても使用されることが可能である。
【００３５】
本発明にしたがうヒンジのケーシング１４の内部は既存のヒンジの標準的な筐体の内部と実質的に同じであり、減衰装置が設けられる前の筐体６の上面図が記されている図２により詳しく示されている。ケーシング１４の外部表面は実質的にシリンダの外部表面であるが、揺動部２、３の関節ピン７、８を収容するための穴７０、７１に対応する点は除かれ、そこには複数の平らな表面が設けられており、それらの平面は互いに平行であり、その各々は前記シリンダの底部円周に沿って位置づけされている。
【００３６】
また、筐体６の記載の部分には、実質的に円筒状をした、ケーシング１４の外部形状と対応する形状の側壁が設けられており、それによって、揺動部２、３のピン７、８を保持するための各々の穴８０、８１は、設置位置において、ケーシング１４の穴７０、７１と並ぶ。
【００３７】
有利なことに、その壁部の３つの点において、筐体６には切り込み部及び突起部を内側に有するタブ２０が設けられている。該タブ２０はケーシング１４の端部に設けられている対応する止め平面部２１を押すのに適しており、それによって該ケーシングが設置される前の位置において該ケーシングを保持する。
【００３８】
別法では、タブ２０及び止め平面部２１は、ケーシング１４の壁部及び筐体６の端部に各々配列されている。この場合、タブは外に向かって突出している。
【００３９】
スライダ１８及び制動ディスク２３はケーシング１４の下部に設けられた下部円筒状キャビティ２２の中に保持されており、該キャビティの端部は粘性グリスのための密封要素として働く。
【００４０】
上記の第１の実施形態と異なり、図７及び８に示されている本発明のヒンジの第２の好ましい実施形態にしたがうと、筐体６の底部は完全に滑らかであり、スライダ及び制動ディスクを保持しているケーシングの下部円筒状キャビティ２２は平坦要素２６によって、もしくは減衰装置の閉鎖プレートによって閉じられており、該筐体には制動ディスク２３の下部表面のリブ４１’及び溝４０’のそれぞれと組み合わさる同心溝４０及びリブ４１が設けられている。この平坦要素２６があることで、ケーシング１４の下部端部に設けられた対応する形状をしたシート部に適切にかみ合うことができる適切な周辺突起部２４の手段で閉じて減衰装置を固定することが可能である、又は該要素２６は例えば超音波溶接手段によってケーシング１４に固定されることが可能である。
【００４１】
ケーシング１４、スライダ１８、制動ディスク２３及び平坦要素２６を備える組み立てられた減衰装置は、それから、単純かつ素早い１つの操作で前記タブ２０及び止め平面部２１によって筐体６に挿入及び固定される。したがって、この場合、筐体要素は制動装置の諸要素を設置する間の支持要素として働くことはない。予め設置された減衰装置を有する筐体６は、通常の方法でヒンジの他の構成要素とともに組み立てられる準備ができている。
【００４２】
以上の第１及び第２の実施形態において、さらに、リブ４１、４１’の頂部及び溝４０、４０’の底部の平坦な部分は、それらが接触する際において、例えば高粘性グリスといった粘性媒体を用いて密着性を高めるために、荒削りの状態で製造されることが可能である。有利なことに、この実施形態ではグリスが放射方向により移動し難くなるので、筐体要素６の底部とケーシング１４の間、又は前記平坦要素２６とケーシングの間にガスケットを用いる必要がなくなる。
【００４３】
図９において概略的に示されている、本発明のヒンジの第３の実施形態にしたがうと、ケーシング１４の内部において、前記スライダの運動伝達方向と平行している、スライダ１８のガイド側端部と筐体の壁部との間からなる空間は、筐体６の底部に対し垂直で、スライダ１８の前記側端部に沿って設けられた各々のラック４５によって適切に回転させられることが可能な、ピン１７と係合する歯状ホイール２５が設けられた既存のタイプの回転減速機を保持するために使用される。歯状ホイール２５は、突出部分（不図示）に順に設けられたピンに係合され、該突出部分は適切な容器において回転しかつ粘性流体に浸けられている。そうであるので、減衰効果は、ドアが閉じる及び／又は開く段階において前記歯状ホイールが回転する間に発生する。
【００４４】
図１０に示されているのは、ヒンジの第４の実施形態であり、スライダ１８のガイド側端部と筐体６の壁部との間にある利用可能な空間は、代わりに、ピストン４７が軸に沿って可能ならばスプリング４８による張力をかけられて滑動する円筒状シート部４６をその両端において得るために使用される。有利なことに、２つのピストン４７は、Ｃ字形状に曲がった共通ロッド４９を有している。各々の円筒状シート部４６は、グリス又はオイルといった減衰流体を含むために、関連するガスケットを有するプラグ６０によって閉鎖されている。
【００４５】
スライダ１８は、ドアが閉じる段階においてヒンジの揺動部３が回転することで発生する伝達運動を前記ロッドに伝えることができるように、Ｃ字型ロッド４９に適切に結合されている。この場合、復元スプリングとしても知られているスプリング４８が、ピストンの、及びしたがってカム結合要素１６に通常は設けられた特別な復元要素の代わりであるスライダの復元を確実にするために設けられることが可能である。
【００４６】
有利なことに、本発明のヒンジを使用することで、ドアが開く及び閉じる段階のどちらか又は両方の段階において、減衰及び／又は制動動作を生み出すかどうかを選択することが可能となる。
【００４７】
別法では、結合要素１６の機能は、揺動部３が作られているものと同様のシート状金属に設けられる適切な形状をしたタブ手段によって生み出されることが可能である。
【００４８】
本発明のヒンジは、全ての実施形態において、減衰装置が非常にコンパクトであるため、標準的なヒンジの全体寸法に変化を加えることなく効果的な動作をなすことが可能である。
【００４９】
これまでに記載された製造の特殊な方法は本発明の範囲を限定するものではなく、請求項に規定された本発明の全ての実施形態を含むものである。
【図面の簡単な説明】
【００５０】
【図１】半開きの位置にある本発明のヒンジの第１の実施形態の断面図である。
【図２】図１に示されているヒンジの一部分の上面図である。
【図３】図１に示されているヒンジの第１の構成要素の断面図である。
【図４】図１に示されているヒンジの第２の構成要素の側面図である。
【図５】図１に示されているヒンジのさらに１つの構成要素の断面図である。
【図６】図１に示されているヒンジのさらに１つの構成要素の断面図である。
【図７】半開きの位置にある本発明のヒンジの第２の実施形態の断面図である。
【図８】図７に示されているヒンジの一部分の拡大図である。
【図９】本発明のヒンジの第３の実施形態の一部分の上面図である。
【図１０】本発明のヒンジの第４の実施形態の一部分の上面図である。
【符号の説明】
【００５１】
１  ヒンジアーム
２  揺動部
３  揺動部
４  ピン
５  ピン
６  筐体要素
７  ピン
８  ピン
９  スプリング
１０  弾性要素のアーム
１１  弾性要素のアーム
１２  ブッシング
１３  減衰及び／又は制動装置
１４  ケーシング又は覆い
１５  穴又は開口部
１６  カム
１７  ピン
１８  スライダ
２０  タブ
２１  止め平面部
２２  キャビティ
２３  制動ディスク
２４  周辺突起部
２５  歯状ホイール
２６  平坦要素
２９  下部突起部
３０  螺旋状の溝
４０  環状同心溝
４０’  溝
４１  リブ
４１’  リブ
４２  先のとがった端部
４５  ラック
４６  円筒状シート部
４７  ピストン
４８  スプリング
４９  ロッド
５０  ヒンジ
６０  プラグ
７０、７１  ケーシングの穴
８０、８１  筐体要素の穴
９０  フランジ
【図１】
0005167247.tif 000002
【図２】
0005167247.tif 000003
【図３】
0005167247.tif 000004
【図４】
0005167247.tif 000005
【図５】
0005167247.tif 000006
【図６】
0005167247.tif 000007
【図７】
0005167247.tif 000008
【図８】
0005167247.tif 000009
【図９】
0005167247.tif 000010
【図１０】
0005167247.tif 000011